【誤訳訂正書】
【提出日】平成29年9月13日(2017.9.13)
【誤訳訂正１】
【訂正対象書類名】特許請求の範囲
【訂正対象項目名】全文
【訂正方法】変更
【訂正の内容】
【特許請求の範囲】
【請求項１】
シス−１，１，１，４，４，４−ヘキサフルオロ−２−ブテン（Ｚ−ＨＦＯ−１３３６ｍｚｚｍ）及びＨＦＯ−１２３３ｚｄを含む少なくとも１つの発泡剤組成物を含むフォームであって、前記組成物が１重量％〜９９重量％のＺ−ＨＦＯ−１３３６ｍｚｚｍを含むフォーム。
【請求項２】
前記フォームが熱硬化性フォームである、請求項１に記載のフォーム。
【請求項３】
前記熱硬化性フォームがポリウレタンフォーム、ポリイソシアヌレートフォーム、又はフェノール樹脂フォームである、請求項２に記載のフォーム。
【請求項４】
前記フォームが熱可塑性フォームである、請求項１に記載のフォーム。
【請求項５】
前記熱可塑性フォームがポリスチレン（ＰＳ）フォーム、ポリエチレンフォーム、ポリプロピレン（ＰＰ）フォーム、又はポリエチレンテレフタレート（ＰＥＴ）フォームである、請求項４に記載のフォーム。
【請求項６】
前記発泡剤組成物がＺ−ＨＦＯ−１３３６ｍｚｚｍを３０重量％〜９９重量％；５０重量％〜９９重量％；７５重量％〜９９重量％；８５重量％〜９９重量％；２０重量％〜８０重量％；９０重量％〜９９重量％；９５重量％〜９９重量％；１重量％〜２０重量％；１重量％〜４０重量％；１重量％〜５０重量％；５重量％〜２０重量％；５重量％〜４０重量％；５重量％〜６０重量％；１０重量％〜８０重量％；１０重量％〜９０重量％；２０重量％〜９０重量％の量で含む、請求項１〜５のいずれかに記載のフォーム。
【請求項７】
前記発泡剤組成物がＺ−ＨＦＯ−１３３６ｍｚｚｍを４０重量％〜６０重量％の量で含む、請求項１〜５のいずれかに記載のフォーム。
【請求項８】
前記発泡剤組成物が０．５以下のオゾン層破壊係数（ＯＤＰ）、好ましくは０．２５以下のＯＤＰ、最も好ましくは０．１以下のＯＤＰを有する、請求項１〜７のいずれかに記載のフォーム。
【請求項９】
前記発泡剤組成物が１５０以下の地球温暖化係数（ＧＷＰ）、好ましくは５０以下のＧＷＰを有する、請求項１〜８のいずれかに記載のフォーム。
【請求項１０】
前記発泡剤組成物が少なくとも１つの共発泡剤を含む、請求項１〜９のいずれかに記載のフォーム。
【請求項１１】
前記少なくとも１つの共発泡剤が、水、ＣＯ２、ＣＦＣ、ＨＣＣ、ＨＣＦＣ、Ｃ１〜Ｃ５アルコール、Ｃ１〜Ｃ４アルデヒド、Ｃ１〜Ｃ４ケトン、Ｃ１〜Ｃ４エーテル、Ｃ１〜Ｃ４ＨＦＣ、Ｃ４〜Ｃ６炭化水素、及びこれらのいずれかの組合せからなる群から選ばれる、請求項１０に記載のフォーム。
【請求項１２】
前記少なくとも１つの共発泡剤が、水である、請求項１０に記載のフォーム。
【請求項１３】
前記フォームが熱可塑性フォームであり、前記少なくとも１つの共発泡剤が、ブタン及びイソブタンからなる群から選ばれる、請求項１０に記載のフォーム。
【請求項１４】
前記フォームが熱硬化性フォームであり、前記少なくとも１つの共発泡剤が、イソペンタン、ノルマルペンタン及びシクロペンタンからなる群から選ばれる、請求項１０に記載のフォーム。
【請求項１５】
前記ＨＦＯ−１２３３ｚｄがＨＦＯ−１２３３ｚｄ（Ｅ）である、請求項１〜１４のいずれかに記載のフォーム。
【請求項１６】
冷蔵庫用フォーム、冷凍庫用フォーム、冷蔵庫/冷凍庫用フォーム、及びパネル用フォームから選ばれる電気器具用フォームとしての請求項１〜１５のいずれかに記載のフォームの使用。
【請求項１７】
シス−１，１，１，４，４，４−ヘキサフルオロ−２−ブテン（Ｚ−ＨＦＯ−１３３６ｍｚｚｍ）及びＨＦＯ−１２３３ｚｄを含む組成物の発泡剤としての使用であって、前記組成物が１重量％〜９９重量％のＺ−ＨＦＯ−１３３６ｍｚｚｍを含む、使用。
【請求項１８】
前記組成物がＺ−ＨＦＯ−１３３６ｍｚｚｍを３０重量％〜９９重量％；５０重量％〜９９重量％；７５重量％〜９９重量％；８５重量％〜９９重量％；２０重量％〜８０重量％；９０重量％〜９９重量％；９５重量％〜９９重量％；１重量％〜２０重量％；１重量％〜４０重量％；１重量％〜５０重量％；５重量％〜２０重量％；５重量％〜４０重量％；５重量％〜６０重量％；１０重量％〜８０重量％；１０重量％〜９０重量％；２０重量％〜９０重量％の量で含む、請求項１７に記載の使用。
【請求項１９】
前記組成物がＺ−ＨＦＯ−１３３６ｍｚｚｍを４０重量％〜６０重量％の量で含む、請求項１７に記載の使用。
【請求項２０】
前記ＨＦＯ−１２３３ｚｄがＨＦＯ−１２３３ｚｄ（Ｅ）である、請求項１７〜１９のいずれかに記載の使用。
【請求項２１】
パネルフォームを形成するための請求項１７に記載の使用であって、好ましくは、前記組成物がＺ−ＨＦＯ−１３３６ｍｚｚｍを１重量％〜２０重量％；１重量％〜４０重量％；１重量％〜５０重量％；５重量％〜２０重量％；５重量％〜４０重量％の量で含む、使用。
【請求項２２】
噴霧フォームを形成するための請求項１７に記載の使用であって、好ましくは、前記組成物がＺ−ＨＦＯ−１３３６ｍｚｚｍを５０重量％〜９９重量％；７５重量％〜９９重量％；８５重量％〜９９重量％；９０重量％〜９９重量％；９５重量％〜９９重量％の量で含む、使用。
【請求項２３】
前記ＨＦＯ−１２３３ｚｄがＨＦＯ−１２３３ｚｄ（Ｅ）である、請求項２１〜２２のいずれかに記載の使用。
【請求項２４】
（ａ）イソシアネートを含むＡ成分を用意し、
（ｂ）ポリオール又は複数のポリオールの混合物、界面活性剤、触媒、発泡剤、難燃剤、及び他のイソシアネート反応性成分を含むＢ成分を用意し、そして
（ｃ）少量の製造のための手作業での混合、及び好ましくはブロック、スラブ、積層体、現場注入パネル及び他の部材、噴霧適用フォーム、及び泡を形成する機械混合技術のいずれかによって、Ａ側及びＢ側の成分を混合する、
ことを含むポリウレタン又はポリイソシアヌレートフォームを形成する方法であって、
前記発泡剤が、請求項１７〜２０のいずれかに記載の発泡剤である、方法。
【請求項２５】
シス−１，１，１，４，４，４−ヘキサフルオロ−２−ブテン（Ｚ−ＨＦＯ−１３３６ｍｚｚｍ）及びＨＦＯ−１２３３ｚｄを含む組成物の熱伝達組成物としての使用であって、前記組成物が１重量％〜９９重量％のＺ−ＨＦＯ−１３３６ｍｚｚｍを含む、使用。
【請求項２６】
前記組成物がＺ−ＨＦＯ−１３３６ｍｚｚｍを３０重量％〜９９重量％；５０重量％〜９９重量％；７５重量％〜９９重量％；８５重量％〜９９重量％；２０重量％〜８０重量％；９０重量％〜９９重量％；９５重量％〜９９重量％；１重量％〜２０重量％；１重量％〜４０重量％；１重量％〜５０重量％；５重量％〜２０重量％；５重量％〜４０重量％；５重量％〜６０重量％；１０重量％〜８０重量％；１０重量％〜９０重量％；２０重量％〜９０重量％の量で含む、請求項２５に記載の使用。
【請求項２７】
前記組成物がＺ−ＨＦＯ−１３３６ｍｚｚｍを１重量％〜２０重量％の量で含む、請求項２６に記載の使用。
【請求項２８】
前記組成物がポリオールエステル（ＰＯＥ）、ポリアルキレングリコール（ＰＡＧ）、シリコーン油、鉱油、アルキルベンゼン（ＡＢ）及びポリ(α−オレフィン)（ＰＡＯ）から選ばれる潤滑剤をさらに含む、請求項２５〜２７のいずれかに記載の使用。
【請求項２９】
前記潤滑剤がポリオールエステル（ＰＯＥ）である、請求項２８に記載の使用。
【請求項３０】
自動車用空調システム及び装置、商業用冷却システム及び装置、チラー、遠心チラー、住宅用冷蔵庫及び冷凍庫、一般的な空調システム、及びヒートポンプにおける請求項２５〜２９のいずれかに記載の使用。
【請求項３１】
有機ランキンサイクル（ＯＲＣ）システムにおける請求項２５〜２９のいずれかに記載の使用。
【請求項３２】
チラーシステムにおける請求項２５〜２９のいずれかに記載の使用。
【請求項３３】
前記組成物が遠心チラーにおけるＲ１２３の代替流体である請求項２５〜２９のいずれかに記載の使用。
【請求項３４】
シス−１，１，１，４，４，４−ヘキサフルオロ−２−ブテン（Ｚ−ＨＦＯ−１３３６ｍｚｚｍ）及びＨＦＯ−１２３３ｚｄを含むか又は実質的にこれらから構成される噴射剤及び噴霧される材料を含む噴霧可能な組成物であって、前記噴射剤が１重量％〜９９重量％のＺ−ＨＦＯ−１３３６ｍｚｚｍを含む、噴霧可能な組成物。
【請求項３５】
Ｚ−ＨＦＯ−１３３６ｍｚｚｍを３０重量％〜９９重量％；５０重量％〜９９重量％；７５重量％〜９９重量％；８５重量％〜９９重量％；２０重量％〜８０重量％；９０重量％〜９９重量％；９５重量％〜９９重量％；１重量％〜２０重量％；１重量％〜４０重量％；１重量％〜５０重量％；５重量％〜２０重量％；５重量％〜４０重量％；５重量％〜６０重量％；１０重量％〜８０重量％；１０重量％〜９０重量％；２０重量％〜９０重量％の量で含む、請求項３４に記載の噴霧可能な組成物。
【請求項３６】
Ｚ−ＨＦＯ−１３３６ｍｚｚｍを４０重量％〜６０重量％の量で含む、請求項３４に記載の噴霧可能な組成物。
【請求項３７】
噴霧可能な組成物はエアゾールである、請求項３４〜３６のいずれかに記載の噴霧可能な組成物。
【請求項３８】
前記エアゾールは医薬エアゾールである、請求項３７に記載の噴霧可能な組成物。
【請求項３９】
前記医薬エアゾールは計量式吸入器用である、請求項３８に記載の噴霧可能な組成物。
【請求項４０】
前記噴霧される材料が、潤滑剤、殺虫剤、洗浄剤、化粧物質、消臭剤、香水、ヘアスプレー、艶出し剤、医薬物質、皮膚冷却剤（日焼けの処置）、局所麻酔薬、及び抗喘息薬から選ばれる、請求項３４〜３９のいずれかに記載の噴霧可能な組成物。
【請求項４１】
前記噴霧される材料が、ベータ作用薬又はコルチコステロイドである薬物をさらに含む、請求項４０に記載の噴霧可能な組成物。
【請求項４２】
前記ＨＦＯ−１２３３ｚｄがＨＦＯ−１２３３ｚｄ（Ｅ）である、請求項３７〜４１のいずれかに記載の噴霧可能な組成物。
【請求項４３】
前記ＨＦＯ−１２３３ｚｄがＨＦＯ−１２３３ｚｄ（Ｚ）である、請求項３７〜４１のいずれかに記載の噴霧可能な組成物。
【請求項４４】
シス−１，１，１，４，４，４−ヘキサフルオロ−２−ブテン（Ｚ−ＨＦＯ−１３３６ｍｚｚｍ）及びＨＦＯ−１２３３ｚｄを含むか又は実質的にこれらから構成される組成物を物品に適用することによって、製品、部材、部品、基材、又は任意の他の物品若しくはその一部から汚染物質を除去する方法であって、前記組成物が１重量％〜９９重量％のＺ−ＨＦＯ−１３３６ｍｚｚｍを含む、方法。
【請求項４５】
前記組成物が、Ｚ−ＨＦＯ−１３３６ｍｚｚｍを３０重量％〜９９重量％；５０重量％〜９９重量％；７５重量％〜９９重量％；８５重量％〜９９重量％；２０重量％〜８０重量％；９０重量％〜９９重量％；９５重量％〜９９重量％；１重量％〜２０重量％；１重量％〜４０重量％；１重量％〜５０重量％；５重量％〜２０重量％；５重量％〜４０重量％；５重量％〜６０重量％；１０重量％〜８０重量％；１０重量％〜９０重量％；２０重量％〜９０重量％の量で含む、請求項４４に記載の方法。
【請求項４６】
前記組成物が、Ｚ−ＨＦＯ−１３３６ｍｚｚｍを４０重量％〜６０重量％の量で含む、請求項４４に記載の方法。
【請求項４７】
前記ＨＦＯ−１２３３ｚｄがＨＦＯ−１２３３ｚｄ（Ｅ）である、請求項４４〜４６のいずれかに記載の方法。
【誤訳訂正２】
【訂正対象書類名】明細書
【訂正対象項目名】０１０７
【訂正方法】変更
【訂正の内容】
【０１０７】
冷媒組成物：
而して、本方法、システム、及びＺ−ＨＦＯ−１３３６ｍｚｚｍ、特には表１に記載するブレンドを含むか又は実質的にこれらから構成される組成物は、自動車用空調システム及び装置、商業用冷却システム及び装置、チラー、住宅用冷蔵庫及び冷凍庫、一般的な空調システム、ヒートポンプなどに関連して用いるように適合させることができる。
【誤訳訂正３】
【訂正対象書類名】明細書
【訂正対象項目名】０１１２
【訂正方法】変更
【訂正の内容】
【０１１２】
特にＺ−ＨＦＯ−１３３６ｍｚｚｍを含むか又は実質的にこれから構成され、特に表１に規定するブレンドを含むか又は実質的にこれから構成されるものなどの本発明の組成物はまた、商業用空調システムと関連して通常用いられるチラーにおいて有利性（元々のシステムか、或いはＲ−１２及びＲ−５００のような冷媒の代替として用いる場合のいずれか）を有する。幾つかのかかる態様においては、本Ｚ−ＨＦＯ−１３３６ｍｚｚｍ組成物中に約０．５〜約５％のＣＦ３Ｉのような燃焼性抑制剤を含ませることが好ましい。
【誤訳訂正４】
【訂正対象書類名】明細書
【訂正対象項目名】０１１５
【訂正方法】変更
【訂正の内容】
【０１１５】
冷媒の例：
この例は、冷媒組成物として用いるための本発明の組成物の使用を示す。
遠心チラー用に選択した流体は２，２−ジクロロ−１，１，１−トリフルオロエタン（Ｒ−１２３）である。Ｒ−１２３のオゾン層破壊係数のために、これはモントリオール議定書下で現在は使用禁止されている。Ｒ−１２３に関する代替流体を見出す際には、高い成績係数（ＣＯＰ）を維持することが重要である。単一段階のチラーは、低圧ガスを圧縮し、それを蒸発器に送る圧縮器から構成されている。次に、高圧の流体を比較的高い温度で凝縮し、この場合に関しては凝縮器を４０℃に保持する。次に、凝縮した流体を膨張装置に通して流体の温度及び圧力の両方を低下させて蒸発器中に導入し、この場合には蒸発器を２℃に保持する。次に、低温で低圧のガスを用いて物体から熱を伝達除去する。これには、蒸発器内で流体を蒸発させることによって冷却することが必要である。R.C. Downing, Fluorocarbon Refrigerants Handbook, ３章, Prentice-Hall, 1988のような熱力学のテキストにおいて概説されている標準的な冷媒サイクル分析法を用いて、冷媒の熱力学的性能を計算することができる。２℃の凝縮器温度、４０℃の蒸発器温度、及び０．７５の圧縮器効率において、単一圧縮器チラーのＣＯＰを求めた。ＣＯＰを保持する能力はＨＣＦＣ−１２３のものと同等であり、一方、非オゾン層破壊性であり、非常に低いＧＷＰを有しており、これによりＺ−ＨＦＯ−１３３６ｍｚｚｍは遠心チラーのためにうってつけの流体である。
【誤訳訂正５】
【訂正対象書類名】明細書
【訂正対象項目名】０１１７
【訂正方法】変更
【訂正の内容】
【０１１７】
有機ランキンサイクル（ＯＲＣ）システムは、工業プロセスからの廃熱を回収するためにしばしば用いられている。熱電供給（コジェネレーション）用途においては、発電機セットの一次原動機を駆動するのに用いる燃料の燃焼からの廃熱を回収し、これを用いて、例えば熱を供給するためか、或いは吸収チラーを運転して冷却を与えるための熱を供給するための熱水を生成させる。幾つかの場合においては、熱水に対する需要は小さいか又は存在しない。最も困難なケースは、熱的要件が変動し、負荷整合が困難になり、熱電供給システムの効率的な運転が混乱する場合である。このような場合においては、有機ランキンサイクルシステムを用いることによって廃熱を軸動力に変換することがより有用である。軸動力を用いて例えばポンプを運転することができ、或いはこれを用いて電気を生成させることができる。このアプローチを用いることによって、システム全体の効率がより高く、燃料の利用率がより大きい。同量の燃料投入量についてより多くの電力を生成させることができるので、燃料の燃焼からの大気放出を減少させることができる。
【誤訳訂正６】
【訂正対象書類名】明細書
【訂正対象項目名】０１６９
【訂正方法】変更
【訂正の内容】
【０１６９】
好ましい態様を参照して本発明を特に示し且つ記載したが、本発明の範囲から逸脱することなく種々の変更及び修正を行うことができることは、当業者には容易に認められるであろう。特許請求の範囲は、開示されている態様、上記で議論したこれらの代替物、及びこれに対する全ての均等物をカバーするように解釈すると意図される。
本発明は以下の態様を含む。
［１］
化合物：シス−１，１，１，４，４，４−ヘキサフルオロ−２−ブテン、並びに、ＨＦＯ，ＨＦＣ、ＨＦＥ、ＣＦＣ、ＣＯ２、オレフィン、有機酸、アルコール、炭化水素、エーテル、アルデヒド、ケトン、及び他のもの、例えばギ酸メチル、ギ酸、トランス−１，２−ジクロロエチレン、二酸化炭素、シス−ＨＦＯ−１２３４ｚｅ＋ＨＦＯ−１２２５ｙｅｚからなる群から選択される少なくとも１種類の更なる化合物；これらと水の混合物；これらとＣＯ２の混合物；これらとトランス−１，２−ジクロロエチレン（ＤＣＥ）の混合物；これらとギ酸メチルの混合物；シス−ＨＦＯ−１２３４ｚｅ＋ＣＯ２を有する混合物；シス−ＨＦＯ−１２３４ｚｅ＋ＨＦＯ−１２２５ｙｅｚ＋ＣＯ２を有する混合物；及びシス−ＨＦＯ−１２３４ｚｅ＋ＨＦＣ−２４５ｆａを有する混合物；を含む混合物。
［２］
更なる化合物が、トランス−１，２−ジクロロエチレン；二酸化炭素；シス−ＨＦＯ−１２３４ｚｅ；ＨＦＯ−１２２５ｙｅｚ；低分子量アルコール；低地球温暖化係数のオレフィン；クロロフルオロカーボン；ケトン；アルデヒド；有機酸；及びアルカン；からなる群から選択される１種類以上の化合物を含む、［１］に記載の混合物。
［３］
更なる化合物が、シス−ＨＦＯ−１２３４ｚｅ；ＨＦＯ−１２３４ｙｆ；ＨＦＯ−１２２５ｙｅ（Ｚ）；ＨＦＯ−１２２５ｙｅ（Ｅ）；ＨＦＯ−１２２５ｙｃ；ＨＦＯ−１２３３ｚｄ；ＨＦＣ−１２３３ｘｆ；（ＣＦ３）２ＣＦＣＨ＝ＣＨＦ（Ｅ＆Ｚ）；（ＣＦ３）２ＣＦＣＨ＝ＣＦ２；ＣＦ３ＣＨＦＣ＝ＣＨＦ（Ｅ＆Ｚ）；及び（Ｃ２Ｆ５）（ＣＦ３）Ｃ＝ＣＨ２；からなる群から選択される１種類以上の化合物を含む、［１］に記載の混合物。
［４］
更なる化合物が、ＨＦＣ−２４５ｅｂ；ＨＦＣ−２４５ｃａ；ＨＦＣ−２２７ｅａ；ＨＦＣ−２３６ｅａ；ＨＦＣ−２３６ｆａ；ＨＦＣ−１３４ａ；ＨＦＣ−１３４；ＨＦＣ−１５２ａ；ＨＦＣ−３２；ＨＦＣ−１２５；ＨＦＣ−１４３ａ；ＨＦＣ−３６５ｍｆｃ；ＨＦＣ−１６１；及びＨＦＣ−４３−１０ｍｅｅ；からなる群から選択される１種類以上の化合物を含む、［１］に記載の混合物。
［５］
更なる化合物が、ＣＨＦ２−Ｏ−ＣＨＦ２；ＣＨＦ２−Ｏ−ＣＨ２Ｆ；ＣＨ２Ｆ−Ｏ−ＣＨ２Ｆ；ＣＨ２Ｆ−Ｏ−ＣＨ３；シクロ−ＣＦ２−ＣＨ２−ＣＦ２−Ｏ；シクロ−ＣＦ２−ＣＦ２−ＣＨ２−Ｏ；ＣＨＦ２−Ｏ−ＣＦ２−ＣＨＦ２；ＣＦ３−ＣＦ２−Ｏ−ＣＨ２Ｆ；ＣＨＦ２−Ｏ−ＣＨＦ−ＣＦ３；ＣＨＦ２−Ｏ−ＣＦ２−ＣＨＦ２；ＣＨ２Ｆ−Ｏ−ＣＦ２−ＣＨＦ２；ＣＦ３−Ｏ−ＣＦ２−ＣＨ３；ＣＨＦ２−ＣＨＦ−Ｏ−ＣＨＦ２；ＣＦ３−Ｏ−ＣＨＦ−ＣＨ２Ｆ；ＣＦ３−ＣＨＦ−Ｏ−ＣＨ２Ｆ；ＣＦ３−Ｏ−ＣＨ２−ＣＨＦ２；ＣＨＦ２−Ｏ−ＣＨ２−ＣＦ３；ＣＨ２Ｆ−ＣＦ２−Ｏ−ＣＨ２Ｆ；ＣＨＦ２−Ｏ−ＣＦ２−ＣＨ３；ＣＨＦ２−ＣＦ２−Ｏ−ＣＨ３；ＣＨ２Ｆ−Ｏ−ＣＨＦ−ＣＨ２Ｆ；ＣＨＦ２−ＣＨＦ−Ｏ−ＣＨ２Ｆ；ＣＦ３−Ｏ−ＣＨＦ−ＣＨ３；ＣＦ３−ＣＨＦ−Ｏ−ＣＨ３；ＣＨＦ２−Ｏ−ＣＨ２−ＣＨＦ２；ＣＦ３−Ｏ−ＣＨ２−ＣＨ２Ｆ；ＣＦ３−ＣＨ２−Ｏ−ＣＨ２Ｆ；及びＣＦ２Ｈ−ＣＦ２−ＣＦ２−Ｏ−ＣＨ３；からなる群から選択される１種類以上の化合物を含む、［１］に記載の混合物。
［６］
更なる化合物が、プロパン；ブタン；イソブタン；ネオペンタン；イソペンタン；シクロペンタン；ｎ−ヘキサン；イソヘキサン；及びヘプタン；からなる群から選択される１種類以上の化合物を含む、［１］に記載の混合物。
［７］
発泡剤組成物として用いるための［１］に記載の混合物。
［８］
ＨＦＯ−１３３６ｍｚｚｍとシクロペンタンの混合物を含む、パネル用フォームのために有用な［７］に記載の発泡剤。
［９］
ＨＦＯ−１３３６ｍｚｚｍとイソペンタンの混合物を含む、パネル用フォームのために有用な［７］に記載の発泡剤。
［１０］
ＨＦＯ−１３３６ｍｚｚｍとｎ−ペンタンの混合物を含む、パネル用フォームのために有用な［７］に記載の発泡剤。
［１１］
ＨＦＯ−１３３６ｍｚｚｍとＨＦＣ−２４５ｆａの混合物を含む、噴霧フォームのために有用な［７］に記載の発泡剤。
［１２］
ＨＦＯ−１３３６ｍｚｚｍとＨＦＣ−３６５ｍｆｃの混合物を含む、噴霧フォームのために有用な［７］に記載の発泡剤。
［１３］
ＨＦＯ−１３３６ｍｚｚｍとＨＦＯ−１２３３ｚｄ（Ｅ）の混合物を含む、噴霧フォームのために有用な［７］に記載の発泡剤。
［１４］
ポリオールプレミックス組成物として用いるための［１］に記載の混合物。
［１５］
フォーム組成物として用いるための［１］に記載の混合物。
［１６］
洗浄及び汚染物質除去組成物として用いるための［１］に記載の混合物。
［１７］
ＯＲＣ動力サイクルにおいて作動流体として用いるための［１］に記載の混合物。